(57)【特許請求の範囲】
【請求項１】
電動機の固定子巻線に流れる電流から推定される前記固定子巻線の温度変化量と前記電動機の周囲温度とに基づいて固定子巻線温度を計算する固定子巻線温度計算部と、
前記電動機の回転子の位置情報を検出する位置検出器内に設けられた温度検出素子が示す温度を検出する位置検出器温度検出部と、
前記固定子巻線温度がアラームレベルを超えたとき、アラーム信号を出力するアラーム信号出力部であって、前記アラームレベルは、前記周囲温度が所定の温度以下の場合には前記温度変化量の最大値と前記周囲温度とに基づいて規定された温度であり、前記周囲温度が前記所定の温度より高い場合には前記位置検出器を過熱から保護するために規定された温度であるアラーム信号出力部と、
を備えることを特徴とする電動機の巻線過熱防止装置。
【請求項２】
前記アラーム信号出力部から前記アラーム信号を受信したとき前記電動機への駆動電力の供給の停止を指令する巻線保護部をさらに備える請求項１に記載の電動機の巻線過熱防止装置。
【請求項３】
前記アラーム信号出力部において前記アラームレベルとの比較に用いられる固定子巻線温度を、前記固定子巻線温度計算部により計算された前記固定子巻線温度と前記固定子巻線に設けられた温度検出素子が示す温度とで切り替える切替部をさらに備える請求項１または２に記載の電動機の巻線過熱防止装置。
【請求項４】
電動機へ供給する駆動電力を制御する制御装置であって、
前記電動機の固定子巻線に流れる電流を検出する電流検出部と、
前記電流検出部により検出された前記電流から推定される前記固定子巻線の温度変化量と前記電動機の周囲温度とに基づいて固定子巻線温度を計算する固定子巻線温度計算部と、
前記電動機の回転子の位置情報を検出する位置検出器と、
前記位置検出器内に設けられた温度検出素子と、
前記温度検出素子が示す温度を検出する位置検出器温度検出部と、
前記固定子巻線温度がアラームレベルを超えたとき、アラーム信号を出力するアラーム信号出力部であって、前記アラームレベルは、前記周囲温度が所定の温度以下の場合には前記温度変化量の最大値と前記周囲温度とに基づいて規定された温度であり、前記周囲温度が前記所定の温度より高い場合には前記位置検出器を過熱から保護するために予め設定された温度であるアラーム信号出力部と、
前記アラーム信号出力部から前記アラーム信号を受信したとき前記電動機への駆動電力の供給の停止を指令する巻線保護部と、
を備えることを特徴とする電動機の制御装置。
【請求項５】
前記所定の温度は、前記電動機の周囲温度に電動機の温度変化量の最大値を加算して得られる温度が、固定子巻線が有する限界温度となる場合における、当該周囲温度に設定される請求項４に記載の電動機の制御装置。
【請求項６】
前記位置検出器温度検出部で検出された温度が、前記位置検出器を過熱から保護するために規定された温度を超えたとき、位置検出器アラーム信号を出力する位置検出器アラーム信号出力部と、
前記位置検出器アラーム信号出力部から前記位置検出器アラーム信号を受信したとき前記電動機への駆動電力の供給の停止を指令する位置検出器保護部と、
をさらに備える請求項４または５に記載の電動機の制御装置。
【請求項７】
前記アラーム信号出力部において前記アラームレベルとの比較に用いられる固定子巻線温度を、前記固定子巻線温度計算部により計算された前記固定子巻線温度と前記固定子巻線に設けられた温度検出素子が示す温度とで切り替える切替部をさらに備える請求項４〜６のいずれか一項に記載の電動機の制御装置。
【請求項８】
前記位置検出器の着脱のための装着部をさらに備える請求項４〜７のいずれか一項に記載の電動機の制御装置。
【発明の詳細な説明】
【技術分野】
【０００１】
本発明は、電動機の巻線過熱防止装置、および電動機へ供給する駆動電力を制御する制御装置に関する。
【背景技術】
【０００２】
電動機の固定子巻線に電流が流れると、固定子巻線には損失が発生し、この損失に比例して固定子巻線の温度が上昇する。固定子巻線の温度が上昇し過ぎすると焼損してしまう。このため、電動機の駆動制御においては、固定子巻線の温度を検出し、検出した温度が当該固定子巻線に対して予め設定した上限温度（以下、「アラームレベル」と称する。）を超えた場合には電動機の駆動を停止させる制御を行うことで、固定子巻線の焼損を防止する巻線過熱防止制御が行われる。
【０００３】
巻線の過熱を防止しながら電動機を効率よく駆動制御するには巻線の正確な温度検出が不可欠である。電動機の巻線の温度の検出の方法として、大きく分けて固定子巻線に温度センサ（温度検出素子）を設置して温度を測定する方法と、巻線に流れる電流から巻線の温度を推定演算する方法とがある。
【０００４】
このうち、巻線に流れる電流から巻線の温度を推定演算する一般的な方法では、検出抵抗、ホール素子または電流センサなどを用いて検出した巻線に流れる電流をＩ、電動機の巻線の抵抗をＲとしたとき、巻線に発生する損失Ｑを「Ｑ＝Ｉ2×Ｒ」の式にしたがって算出し、損失Ｑに比例して固定子巻線の温度が上昇する特性に基づき、損失Ｑに所定の定数を乗算し、これに電動機の周囲温度を加味することによって固定子巻線の温度を推定している。
【０００５】
さらに精度よく巻線に流れる電流から巻線の温度を推定演算する方法もいくつか提案されている。
【０００６】
例えば、巻線に温度センサを設置することなく、電気回路を用いて電流および電圧から巻線の温度を算出する方法がある（例えば、特許文献１および２参照。）。
【０００７】
また例えば、巻線に温度センサ（温度検出素子）を設置して温度を測定し、この測定結果を巻線に流れる電流値の２次関数で決定される値で補正する方法がある（例えば、特許文献３参照。）。
【０００８】
また例えば、巻線に温度センサを設置して実巻線温度を検出し、電動機の負荷電流および周囲温度を用いて検出した実巻線温度から、巻線の温度を予測する方法がある（例えば、特許文献４参照。）。
【先行技術文献】
【特許文献】
【０００９】
【特許文献１】特開２０００−３０８３８９号公報
【特許文献２】特開２００４−２０８４５３号公報
【特許文献３】特許第４２３７０７５号公報
【特許文献４】特開平５−２６８７１８号公報
【発明の概要】
【発明が解決しようとする課題】
【００１０】
固定子巻線に温度センサ（温度検出素子）を設置して温度を測定する方法によれば、固定子巻線の温度を正確に測定できる利点がある。しかしながら、固定子巻線から温度検出素子へ熱を効率よく伝える必要があるため、温度検出素子を固定子巻線に設置するための部材および接着剤を熱伝導率の高い高品質なものとする必要があり、また、温度検出素子からの温度情報を制御装置へ送るための配線およびコネクタ部を設置する作業が必要となるので、製造コストが高くなるという欠点がある。
【００１１】
また、固定子巻線に流れる電流から巻線の温度を推定演算する方法によれば、温度検出素子を設ける必要が無いので製造コストを抑えることができる利点がある。しかしながら、固定子巻線に発生する損失Ｑ（＝Ｉ2×Ｒ）から巻線の温度を推定するので、巻線の相対的な温度変化量は正確に算出できるが、電動機の周囲温度にこの相対的な温度変化量を加算して固定子巻線の温度を推定するので、推定結果は電動機の周囲温度の影響を受けたものとなり、得られた固定子巻線の温度は正確なものとはいえない。
【００１２】
巻線の焼損を防止する巻線過熱防止制御では、検出した固定子巻線の温度が当該固定子巻線に対して予め設定した上限温度を超えた場合に電動機の駆動を停止させる制御を行うので、巻線の温度を正確に検出できないと、電動機を効率よく駆動制御することができない。
【００１３】
また、巻線に流れる電流から巻線の温度を検出する方法として、固定子巻線に生じる損失Ｑに基づき推定される固定子巻線の温度変化量に電動機の周囲温度を加算することによって固定子巻線の温度を検出する方法を用いて、巻線過熱防止制御を行う場合、電動機の周囲温度に電動機の固定子巻線が取り得る温度変化量を加算して得られる温度と、電動機の使用環境において想定されうる最高の周囲温度とに基づいて、電動機の駆動を停止するか否かの判断基準となる固定子巻線の上限の温度である「アラームレベル」を設定する方法が一般的であるが、この方法によると、以下の理由により、電動機を効率よく駆動制御することができない。図５は、電動機の固定子巻線を流れる電流から推定した温度と電動機の周囲温度との関係を示す図であって、（ａ）は周囲温度が４０℃、（ｂ）は周囲温度が２０℃、（ｃ）は周囲温度が０℃の場合を示す図である。
【００１４】
上述したように、電動機の固定子巻線に電流が流れるときに発生する損失Ｑに比例して固定子巻線の温度は上昇する。電動機の固定子巻線に流れる電流をＩ、電動機の固定子巻線の抵抗をＲとしたとき、固定子巻線に発生する損失Ｑは「Ｑ＝Ｉ2×Ｒ」で表わされるので、固定子巻線には図５に示すような温度変化が生じる。この温度変化自体は、電動機の周囲温度によらず一定であるが、電動機の周囲温度にこの相対的な温度変化量を加算して固定子巻線の温度を推定するので、推定結果は電動機の周囲温度によって変わる。例えば、電動機の周囲温度が低いほど、固定子巻線に流れる電流から推定される固定子巻線の温度は、低いものとなる。電動機が使用される環境において想定され得る最高の周囲温度に電動機の温度変化量の最大値を加算して得られる温度が、固定子巻線の実際の限界温度であると考えられる。
【００１５】
例えば、電動機が使用される環境において想定され得る最高の周囲温度を４０℃としたとき、図５（ａ）に示すように、この周囲温度４０℃に電動機の温度変化量の最大値を加算して得られる温度（図中、点線で示される温度）が、固定子巻線の実際の限界温度であると考えられる。電動機が使用される環境において想定され得る最高の周囲温度が４０℃の場合には、この固定子巻線の実際の限界温度が、当該固定子巻線についてのアラームレベル（図中、一点鎖線で示される温度）に設定される。したがって、電動機が使用される環境において想定され得る最高の周囲温度４０℃の下で電動機を駆動すると、固定子巻線を焼損することなく電動機が有する性能を最大限に引き出すことができる。
【００１６】
しかしながら、この電動機を周囲温度が２０℃の下で駆動した場合には、図５（ｂ）に示すように固定子巻線のアラームレベルは、固定子巻線の実際の限界温度からずれたものとなり、また、この電動機を周囲温度が０℃の下で駆動した場合には、図５（ｃ）に示すように固定子巻線のアラームレベルは、固定子巻線の実際の限界温度からより一層ずれたものとなり、電動機が有する性能を十分に生かした駆動を行うことができず、非効率的である。
【００１７】
このように、固定子巻線に生じる損失Ｑに基づき推定される固定子巻線の温度変化量に電動機の周囲温度を加算することによって固定子巻線の温度を検出する方法を用いて、巻線過熱防止制御を行う場合、従来による方法によれば、電動機を効率よく駆動制御することができない。
【００１８】
従って本発明の目的は、上記問題に鑑み、電動機の固定子巻線の過熱を高精度に防止し、電動機を効率よく駆動させることができる低コストの巻線過熱防止装置、および、この巻線過熱防止装置を備えた電動機の制御装置を提供することにある。
【課題を解決するための手段】
【００１９】
上記目的を実現するために、本発明の第１の態様においては、電動機の巻線過熱防止装置は、電動機の固定子巻線に流れる電流から推定される固定子巻線の温度変化量と電動機の周囲温度とに基づいて固定子巻線温度を計算する固定子巻線温度計算部と、電動機の回転子の位置情報を検出する位置検出器内に設けられた温度検出素子が示す温度を検出する位置検出器温度検出部と、固定子巻線温度がアラームレベルを超えたとき、アラーム信号を出力するアラーム信号出力部であって、アラームレベルは、周囲温度が所定の温度以下の場合には温度変化量の最大値と周囲温度とに基づいて規定された温度であり、周囲温度が上記所定の温度より高い場合には位置検出器を過熱から保護するために規定された温度であるアラーム信号出力部と、を備える。また、電動機の巻線過熱防止装置は、アラーム信号出力部からアラーム信号を受信したとき電動機への駆動電力の供給の停止を指令する巻線保護部をさらに備える。
【００２０】
本発明の第１の態様による電動機の巻線過熱防止装置は、アラーム信号出力部においてアラームレベルとの比較に用いられる固定子巻線温度を、固定子巻線温度計算部により計算された固定子巻線温度と固定子巻線に設けられた温度検出素子が示す温度とで切り替える切替部をさらに備えてもよい。
【００２１】
また、本発明の第２の態様においては、電動機へ供給する駆動電力を制御する制御装置は、本発明の第１の態様による巻線過熱防止装置を備える。すなわち、本発明の第２の態様によれば、電動機へ供給する駆動電力を制御する制御装置は、電動機の固定子巻線に流れる電流を検出する電流検出部と、電流検出部により検出された電流から推定される固定子巻線の温度変化量と電動機の周囲温度とに基づいて固定子巻線温度を計算する固定子巻線温度計算部と、電動機の回転子の位置情報を検出する位置検出器と、位置検出器内に設けられた温度検出素子と、温度検出素子が示す温度を検出する位置検出器温度検出部と、固定子巻線温度がアラームレベルを超えたとき、アラーム信号を出力するアラーム信号出力部であって、アラームレベルは、周囲温度が所定の温度以下の場合には温度変化量の最大値と周囲温度とに基づいて規定された温度であり、周囲温度が所定の温度より高い場合には位置検出器を過熱から保護するために予め設定された温度であるアラーム信号出力部と、アラーム信号出力部からアラーム信号を受信したとき電動機への駆動電力の供給の停止を指令する巻線保護部と、を備える。
【００２２】
また、本発明の第２の態様による電動機の制御装置は、位置検出器温度検出部で検出された温度が、位置検出器を過熱から保護するために規定された温度を超えたとき、位置検出器アラーム信号を出力する位置検出器アラーム信号出力部と、位置検出器アラーム信号出力部から位置検出器アラーム信号を受信したとき電動機への駆動電力の供給の停止を指令する位置検出器保護部と、をさらに備えてもよい。
【００２３】
本発明の第２の態様による電動機の制御装置は、アラーム信号出力部においてアラームレベルとの比較に用いられる固定子巻線温度を、固定子巻線温度計算部により計算された固定子巻線温度と固定子巻線に設けられた温度検出素子が示す温度とで切り替える切替部をさらに備えてもよい。
【００２４】
また、本発明の第２の態様による電動機の制御装置において、位置検出器は、着脱可能に設けられてもよく、すなわち、位置検出器の着脱のための装着部をさらに備えてもよい。
【発明の効果】
【００２５】
本発明によれば、電動機の固定子巻線の過熱を高精度に防止し、電動機を効率よく駆動させることができる低コストの巻線過熱防止装置、および、この巻線過熱防止装置を備えた電動機の制御装置を実現することができる。
【００２６】
本発明の第１の態様においては、アラームレベルを、電動機の周囲温度が所定の温度以下の場合には温度変化量の最大値と周囲温度とに基づいて規定された温度であり、周囲温度が所定の温度より高い場合には位置検出器を過熱から保護するために規定された温度であるものに設定し、固定子巻線温度がアラームレベルを超えたとき、アラーム信号を出力し、アラーム信号を受信したとき電動機への駆動電力の供給の停止を指令するので、電動機の固定子巻線の過熱を確実に防止し、電動機を効率よく駆動させることができる。一般に電動機の回転子の位置情報を検出するための位置検出器には、内部のプリント基板上の部品を過熱から保護するために温度検出素子が予め設けられているが、本発明の第１の態様によれば、この位置検出器内に既に設けられた温度検出素子を用いるので、固定子巻線に新たに温度検出素子を設ける必要がなく、電動機の固定子巻線の過熱を低コストで確実に防止することができる。
【００２７】
また、本発明の第１の態様による電動機の巻線過熱防止装置は、アラーム信号出力部においてアラームレベルとの比較に用いられる固定子巻線温度を、固定子巻線温度計算部により計算された固定子巻線温度と固定子巻線に設けられた温度検出素子が示す温度とで切り替える切替部をさらに備えてもよく、これによれば、電動機の固定子巻線の過熱を確実に防止することができるとともに、電動機の使用状況やユーザの好みに応じた電動機の柔軟な運用も可能である。
【００２８】
また、本発明の第２の態様においては、電動機へ供給する駆動電力を制御する制御装置は、第１の態様による電動機の巻線過熱防止装置を備えるので、電動機の固定子巻線の過熱を確実に防止し、電動機を効率よく駆動制御することができる。また、この位置検出器内に既に設けられた温度検出素子を用いるので、固定子巻線に新たに温度検出素子を設ける必要がなく、電動機の固定子巻線の過熱を低コストで確実に防止し、電動機を効率よく駆動制御することができる。
【００２９】
また、本発明の第２の態様による電動機の制御装置は、位置検出器温度検出部で検出された温度が、位置検出器を過熱から保護するために規定された温度を超えたとき、位置検出器アラーム信号を出力する位置検出器アラーム信号出力部と、位置検出器アラーム信号出力部から位置検出器アラーム信号を受信したとき電動機への駆動電力の供給の停止を指令する位置検出器保護部と、をさらに備えてもよく、これによれば、電動機に設置された位置検出器の過熱を確実に防止することができる。
【００３０】
また、本発明の第２の態様による電動機の制御装置は、アラーム信号出力部においてアラームレベルとの比較に用いられる固定子巻線温度を、固定子巻線温度計算部により計算された固定子巻線温度と固定子巻線に設けられた温度検出素子が示す温度とで切り替える切替部をさらに備えてもよく、これによれば、電動機の固定子巻線の過熱を確実に防止することができるとともに、電動機の使用状況やユーザの好みに応じた電動機の柔軟な運用も可能である。
【００３１】
また、本発明の第２の態様による電動機の制御装置において、位置検出器は、着脱可能に設けられてもよく、これによっても、電動機の固定子巻線の過熱を確実に防止することができるとともに、電動機の使用状況やユーザの好みに応じた電動機の柔軟な運用が可能である。
【図面の簡単な説明】
【００３２】
【図１】本発明の第１の実施例による電動機の巻線過熱防止装置、およびこの巻線過熱防止装置を備える電動機の制御装置を示す図である。
【図２】本発明の第２の実施例による電動機の巻線過熱防止装置、およびこの巻線過熱防止装置を備える電動機の制御装置を示す図である。
【図３】本発明の第１および第２の実施例における固定子巻線の温度と位置検出器内の温度検出素子が示す温度との関係を示す図である。
【図４】本発明の第１および第２の実施例における、電動機の固定子巻線の上限温度と電動機の周囲温度との関係を示す図であって、（ａ）は周囲温度が４０℃、（ｂ）は周囲温度が２０℃、（ｃ）は周囲温度が０℃の場合を示す図である。
【図５】電動機の固定子巻線を流れる電流から推定した温度と電動機の周囲温度との関係を示す図であって、（ａ）は周囲温度が４０℃、（ｂ）は周囲温度が２０℃、（ｃ）は周囲温度が０℃の場合を示す図である。
【発明を実施するための形態】
【００３３】
図１は、本発明の第１の実施例による電動機の巻線過熱防止装置、およびこの巻線過熱防止装置を備える電動機の制御装置を示す図である。以降、異なる図面において同じ参照符号が付されたものは同じ機能を有する構成要素であることを意味するものとする。電動機２については、固定子巻線３、回転子４および軸５のみについて表し、それ以外の構造については省略する。ここでは、電動機２を制御装置１００で駆動制御する場合について説明するが、電動機２はどのようなタイプのものであっても本発明を適用することができる。電動機２には回転子４の角度や角速度などの位置情報を検出するための位置検出器２２が設置される。通常、位置検出器２２には、その内部のプリント基板上の部品を過熱から保護するために温度検出素子２３が予め設けられている。したがって、この温度検出素子２３は固定子巻線３と非接触の状態にある。
【００３４】
図１に示すように、電動機２へ供給する駆動電力を制御する制御装置１００はその内部に巻線過熱防止装置１を備える。以下、各構成について説明する。
【００３５】
電動機２の巻線過熱防止装置１は、電動機２の固定子巻線３に流れる電流から推定される固定子巻線３の温度変化量と電動機２の周囲温度とに基づいて固定子巻線温度を計算する固定子巻線温度計算部１１と、電動機２の回転子４の位置情報を検出する位置検出器２２内に設けられた温度検出素子２３が示す温度を検出する位置検出器温度検出部１２と、固定子巻線温度がアラームレベルを超えたとき、アラーム信号を出力するアラーム信号出力部１３であって、アラームレベルは、周囲温度が所定の温度以下の場合には温度変化量の最大値と周囲温度とに基づいて規定された温度であり、周囲温度が上記所定の温度より高い場合には位置検出器２２を過熱から保護するために規定された温度であるアラーム信号出力部１３と、を備える。また、電動機２の巻線過熱防止装置１は、アラーム信号出力部１３からアラーム信号を受信したとき電動機２への駆動電力の供給の停止を指令する巻線保護部１４をさらに備える。巻線保護部１４が駆動電力の供給の停止を指令したとき、電送機２の駆動は停止する。これら固定子巻線温度計算部１１、位置検出器温度検出部１２およびアラーム信号出力部１３は、電動機２の制御装置１００内の演算処理装置の機能の一部として実現される。また、電動機２の周囲温度は、電動機２の近傍に設けられた温度センサもしくは温度計（図示せず）によって検出されるが、検出された電動機２の周囲温度は、アラーム信号出力部１３に入力される。
【００３６】
固定子巻線温度計算部１１は、固定子巻線３の温度の推定に、電動機２の固定子巻線３に流れる電流を用いるが、この電流の検出には、電流検出部２１が用いられる。電流検出部２１により検出される電流は、本来は電動機２の駆動制御に用いられるものであるが、本発明では、これを固定子巻線３の温度の推定にも用いる。
【００３７】
このように、本実施例においては、電動機２へ供給する駆動電力を制御する制御装置１００は、上述の巻線過熱防止装置１を備える。すなわち、本実施例によれば、電動機２へ供給する駆動電力を制御する制御装置１００は、電動機２の固定子巻線３に流れる電流を検出する電流検出部２１と、電流検出部２１により検出された電流から推定される固定子巻線３の温度変化量と電動機２の周囲温度とに基づいて固定子巻線温度を計算する固定子巻線温度計算部１１と、電動機２の回転子４の位置情報を検出する位置検出器２２と、位置検出器２２内に設けられた温度検出素子２３と、温度検出素子２３が示す温度を検出する位置検出器温度検出部１２と、固定子巻線温度がアラームレベルを超えたとき、アラーム信号を出力するアラーム信号出力部１３であって、アラームレベルは、周囲温度が所定の温度以下の場合には温度変化量の最大値と周囲温度とに基づいて規定された温度であり、周囲温度が所定の温度より高い場合には位置検出器２２を過熱から保護するために予め設定された温度であるアラーム信号出力部１３と、アラーム信号出力部１３からアラーム信号を受信したとき電動機２への駆動電力の供給の停止を指令する巻線保護部１４と、を備える。
【００３８】
なお、本実施例の変形例として、電動機２の制御装置１００は、位置検出器温度検出部１２で検出された温度が、位置検出器２２を過熱から保護するために規定された温度を超えたとき、位置検出器アラーム信号を出力する位置検出器アラーム信号出力部３１と、位置検出器アラーム信号出力部３１から位置検出器アラーム信号を受信したとき電動機２への駆動電力の供給の停止を指令する位置検出器保護部３２と、をさらに備えてもよい。これにより、電動機２に設置された位置検出器２２の過熱についても確実に防止することができる。これら位置検出器アラーム信号出力部３１および位置検出器保護部３２は、電動機２の制御装置１００内の演算処理装置の機能の一部として実現される。
【００３９】
また、本実施例の変形例として、位置検出器２２は、着脱可能に設けられるものであってもよく、すなわち、制御装置１００において、位置検出器２２の着脱のための装着部（図示せず）をさらに備えてもよい。着脱部は、例えばソケット型のものがある。上述のように位置検出器２２は、通常、その内部のプリント基板上の部品を過熱から保護するために温度検出素子２３が予め設けられている。温度検出素子２３の検出精度は種々の種類のものがあるが、内蔵された温度検出素子２３の検出精度が異なる位置検出器２２を複数準備しておけば、上述の着脱部に装着する位置検出器２２を交換するだけで、様々な精度での固定子巻線温度計算部１１による温度推定が可能となる。例えば、安価で低精度の温度検出素子２３を備える位置検出器２２を使用すれば、固定子巻線温度計算部１１により推定された温度の誤差は大きくなり、高価で高精度の温度検出素子２３を備える位置検出器２２を使用すれば、固定子巻線温度計算部１１により推定された温度の誤差は小さくなる。したがって、このような内蔵された温度検出素子２３の検出精度が異なる位置検出器２２を適宜使い分ければ、例えば、高精度な温度検出素子２３を備える位置検出器２２を装着した電動機２を大電流・高トルク特性の電動機として使用し、低精度な温度検出素子２３を備える位置検出器２２を装着した電動機２を小電流・低トルク特性の電動機として使用する、といったように電動機の柔軟な運用を実現でき、１つの電動機２を様々な特性を有する電動機として活用することができる。
【００４０】
図２は、本発明の第２の実施例による電動機の巻線過熱防止装置、およびこの巻線過熱防止装置を備える電動機の制御装置を示す図である。本発明の第２の実施例による電動機の巻線過熱防止装置、およびこの巻線過熱防止装置を備える電動機の制御装置は、電動機２の固定子巻線にも温度検出素子が設けられた場合にも対応可能とするものである。すなわち、電動機２の巻線過熱防止装置１は、アラーム信号出力部１３においてアラームレベルとの比較に用いられる固定子巻線温度を、固定子巻線温度計算部１１により計算された固定子巻線温度と、電動機２の固定子巻線３に設けられた温度検出素子３３が示す温度とで切り替える切替部１５をさらに備える。切替器１５は、電動機２の制御装置１００内の演算処理装置の機能の一部として実現される。なお、これ以外の回路構成要素については図１に示す回路構成要素と同様であるので、同一の回路構成要素には同一符号を付して当該回路構成要素についての詳細な説明は省略する。これにより、電動機の固定子巻線の過熱を確実に防止することができるとともに、電動機の使用状況やユーザの好みに応じた電動機の柔軟な運用も可能である。例えば、固定子巻線に温度検出素子を直接取り付けた高性能の電動機および固定子巻線に温度検出素子を取り付けない電動機の２種類の電動機を用意しておけば、切替部１５により、アラーム信号出力部１３においてアラームレベルとの比較に用いられる固定子巻線温度を、固定子巻線温度計算部１１により計算された固定子巻線温度と、電動機２の固定子巻線３に設けられた温度検出素子３３が示す温度とで簡単に切り替えることができるので、電動機の柔軟な運用を実現できる。
【００４１】
続いて、アラーム信号出力部１３および巻線保護部１４の動作について説明する。
【００４２】
上述のように、位置検出器２２内の温度検出素子２３は、本来は位置検出器２２内のプリント基板上の部品近傍の温度を検出するためのものであり、この温度検出素子２３は固定子巻線３と非接触の状態にある。したがって、位置検出器２２内の温度検出素子２３が示す温度は、電動機２の固定子巻線温度よりも低いものとなる。例えば、電動機２の固定子巻線温度と、位置検出器２２内の温度検出素子２３が示す温度との差が４０℃であり、電動機２の駆動を開始したところ固定子巻線の温度変化量が１２０℃あったとすると、電動機２の周囲温度２０℃の場合においては固定子巻線温度１４０℃のところ位置検出器２２内の温度検出素子２３が示す温度は１００℃となり、電動機２の周囲温度６０℃の場合においては固定子巻線温度１８０℃のところ位置検出器２２内の温度検出素子２３が示す温度は１４０℃となる。また、一般に、位置検出器２２内のプリント基板上の部品は電動機２の固定子巻線３よりも熱に対して耐性が弱いため、位置検出器２２内のプリント基板上の部品を過熱から保護するために規定された温度（以下、「位置検出器保護温度」と称する。）は、固定子巻線３の上限温度であるよりも低い。図３は、本発明の第１および第２の実施例における固定子巻線の温度と位置検出器内の温度検出素子が示す温度との関係を示す図である。図３に示すグラフにおいて、横軸にトルク〔Ｎｍ〕、縦軸に固定子巻線の温度変化量〔℃〕をとる。図３において、位置検出器２２内のプリント基板上の部品を過熱から保護するために規定された位置検出器保護温度が１００℃であったと仮定する。電動機２の駆動を開始してトルクを徐々に増加させていくと、固定子巻線温度および位置検出器２２内の温度検出素子が示す温度が徐々に上昇する。電動機２の周囲温度が２０℃のときは、位置検出器内の温度検出素子が示す温度は、位置検出器保護温度１００℃に達するまで８０℃の温度上昇まで可能であり、したがって位置検出器保護温度が１００℃に達するほどまでトルクを増大させると、この間、大量の電流が流れ、固定子巻線の温度上昇分も大きなものとなる。これに対し、電動機２の周囲温度が６０℃のときは、位置検出器内の温度検出素子が示す温度は、位置検出器保護温度１００℃に達するまで４０℃の温度上昇しか許されず、したがって位置検出器保護温度が１００℃に達するまでトルクを増大させるには周囲温度が２０℃のときほどの電流を要さず、したがって、固定子巻線の温度上昇分は小さい。このように、電動機２の周囲温度が低いほど、位置検出器保護温度に達するまでの固定子巻線の温度上昇分は大きく、電動機２の周囲温度が高いほど、位置検出器保護温度に達するまでの固定子巻線の温度上昇分が小さくなることを意味する。したがって、位置検出器２２内のプリント基板上の部品を保護するための位置検出器保護温度と同じ温度に固定子巻線３のアラームレベルを設定した場合は、電動機２の周囲温度が高いほど、固定子巻線温度は当該アラームレベルに達し易くなる。つまり、電動機２の周囲温度が高いほど、位置検出器２２内のプリント基板上の部品を保護するための位置検出器保護温度と同じ温度にアラームレベルを設定にしても固定子巻線３が実際の限界温度に達する可能性が低くなるので、位置検出器保護温度を用いて固定子巻線３の過熱を防止することは十分可能である。
【００４３】
そこで、本発明の第１および第２の実施例では、アラームレベルを、電動機２の周囲温度が所定の温度以下の場合には温度変化量の最大値と周囲温度とに基づいて規定された温度に設定し、周囲温度が所定の温度より高い場合には位置検出器を過熱から保護するために規定された温度であるものに設定し、固定子巻線温度が当該アラームレベルを超えたとき、アラーム信号を出力し、アラーム信号を受信したとき電動機への駆動電力の供給の停止を指令する。これにより、電動機の固定子巻線の過熱を確実に防止するとともに、電動機を効率よく駆動することができる。
【００４４】
図４は、本発明の第１および第２の実施例における、電動機の固定子巻線の上限温度と電動機の周囲温度との関係を示す図であって、（ａ）は周囲温度が４０℃、（ｂ）は周囲温度が２０℃、（ｃ）は周囲温度が０℃の場合を示す図である。上記「所定の温度」は、電動機２の周囲温度に電動機２の温度変化量の最大値を加算して得られる温度が、固定子巻線の実際の限界温度（図中、点線で示される温度）となる場合の、当該周囲温度である。図４の例では、（ｂ）に示すように、上記「所定の温度」を２０℃に設定する。電動機２の周囲温度が２０℃以下のとき、図４（ｂ）および４（ｃ）に示すように、この周囲温度に電動機の温度変化量の最大値を加算して得られる温度（図中、一点鎖線で示される温度）をアラームレベルに規定し、電動機２の周囲温度が２０℃より高いときは、図４（ａ）に示すように、位置検出器２２を過熱から保護するために規定された位置検出器保護温度と同じ温度（図中、二点鎖線で示される温度）にアラームレベルを規定する。この場合、図４（ａ）に示すように、電動機２の周囲温度が４０℃のときにおいて、電動機２の駆動を開始すると、固定子巻線温度計算部１１によって計算される固定子巻線温度が時間とともに徐々に上昇する。従来の方法であれば、周囲温度２０℃のときにおいて固定子巻線の実際の限界温度としてアラームレベルが設定されたアラームレベルをそれより高い周囲温度４０℃のときにも使うことになり、このような設定だと周囲温度４０℃の下で固定子巻線に電流を流し続けると時間の経過とともに、固定子巻線温度が固定子巻線の実際の限界温度を超えてしまう。しかしながら、本発明によれば、図４（ａ）に示すように、電動機２の周囲温度が４０℃のときのアラームレベルは位置検出器２２を過熱から保護するために規定された位置検出器保護温度と同じ温度に設定されているで、固定子巻線に電流を流しすぎでも、位置検出器保護温度と同じ温度に設定されたアラームレベル（図中、二点鎖線で示される温度）に達し、これによりアラーム信号が出力され、電動機２への駆動電力の供給が停止され、それ以上の固定子巻線の温度上昇を防ぐことができ、固定子巻線の焼損を免れることができる。本発明の第１および第２の実施例を示す図４と、従来技術を示す図５とを比較すると、それぞれ図４（ｃ）および図５（ｃ）に示す周囲温度０℃のときにおいて、実際の巻線の限界温度と設定したアラームレベルとの差（ずれ）が、本発明の第１および第２の実施例を示す図４（ｃ）のほうが、従来技術を示すび図５（ｃ）よりも小さいことが分かる。このことから、本発明の第１および第２の実施例のほうが、固定子巻線を焼損することなく電動機が有する性能を最大限に引き出すことができていることがわかる。
【産業上の利用可能性】
【００４５】
本発明は、電動機の固定子巻線の過熱による焼損から防ぐ巻線過熱防止装置およびこれを含む電動機の制御装置に適用することができる。
【符号の説明】
【００４６】
１    巻線過熱防止装置
２    電動機
３    固定子巻線
４    回転子
５    軸
１１    固定子巻線温度計算部
１２    位置検出器温度検出部
１３    アラーム信号出力部
１４    巻線保護部
１５    切替部
２１    電流検出部
２２    位置検出器
２３    温度検出素子
３１    位置検出器アラーム信号出力部
３２    位置検出器保護部
３３    温度検出素子
１００    制御装置
【図１】
0005276700.tif 000002
【図２】
0005276700.tif 000003
【図３】
0005276700.tif 000004
【図４】
0005276700.tif 000005
【図５】
0005276700.tif 000006